(57)【要約】【課題】  複数のチューナを動作させることを可能としつつ、複数のチューナ間の妨害を除去できるようにする。【解決手段】  受信装置には分配器２にて分配された受信信号の選局をそれぞれ行う複数のチューナ３ａ、３ｂが設けられ、チューナ３ａ、３ｂ間の妨害を除去するために、チューナ３ａ、３ｂは、局部発振周波数が、未使用のセグメントの帯域内に設定されるように局部発振信号を生成する。【選択図】      図１
2007082054.tif 000002
【特許請求の範囲】
【請求項１】
複数のチューナが設けられた受信装置において、
前記チューナは、
局部発振周波数が、未使用のセグメントの帯域内に設定された局部発振信号を生成する局部発振器と、
前記局部発振信号に受信信号を混合することにより、前記受信信号を中間周波信号に変換する混合器と、
前記中間周波信号のフィルタリングを行う中間周波フィルタとを備えることを特徴とする受信装置。
【請求項２】
地上デジタルハイビジョン放送を受信する場合、１３セグメント分の帯域の中央の１セグメント分の帯域内に収まるように前記局部発振周波数を設定することを特徴とする請求項１記載の受信装置。
【請求項３】
複数のチューナが設けられた受信装置において、
前記チューナは、
局部発振周波数が、未使用のセグメントの帯域内に設定された第１局部発振信号を生成する第１局部発振器と、
前記第１局部発振信号に受信信号を混合することにより、前記受信信号を第１中間周波信号に変換する第１混合器と、
前記第１中間周波信号のフィルタリングを行う第１中間周波フィルタと、
第２局部発振信号を生成する第２局部発振器と、
前記第２局部発振信号を前記第１中間周波信号に混合することにより、前記第１中間周波信号を第２中間周波信号に変換する第２混合器と、
前記第２中間周波信号のフィルタリングを行う第２中間周波フィルタとを備えることを特徴とする受信装置。
【請求項４】
地上デジタルハイビジョン放送を受信する場合、１３セグメント分の帯域の中央の１セグメント分の帯域内に収まるように前記第１局部発振周波数を設定することを特徴とする請求項３記載の受信装置。
【請求項５】
前記第１中間周波フィルタはＳＡＷフィルタであり、前記第１中間周波信号の周波数が３０〜６０ＭＨｚの範囲内に収まるように前記第１局部発振信号の発振周波数を設定することを特徴とする請求項３または４記載の受信装置。
【発明の詳細な説明】
【技術分野】
【０００１】
本発明は受信装置に関し、特に、複数のチューナが設けられた地上デジタル放送受信機に適用して好適なものである。
【背景技術】
【０００２】
地上デジタル放送受信機、特にハイビジョン対応の据え置き型放送受信機においては、複数画面表示機能はもちろん、ＶＴＲ・ＤＶＤ・ＨＤＤ等が付加される場合がある。このため、地上デジタル放送受信機には複数のチューナが搭載されるとともに、これらのチューナを同時に動作させることが行われている。この場合、ある一つのチューナの局部発振信号が別のチューナに混入し、その別のチューナの動作に妨害を与えることがある。
【０００３】
また、特許文献１には、２画面表示のテレビジョン受信機において、子画面を表示しない時には、子画面用のチューナの局発周波数を受信周波数帯域外に固定して、複数のチューナ間の妨害を除去する方法が開示されている。
また、特許文献２には、複数のチューナが搭載された電子機器において、回路基板の配置を工夫したり、回路基板にシールド対策を施すことにより、複数のチューナ間の妨害を軽減する方法が開示されている。
【特許文献１】特開平５−１３７０８６号公報
【特許文献１】特開２００５−１６７３１４号公報
【発明の開示】
【発明が解決しようとする課題】
【０００４】
しかしながら、特許文献１に開示された方法では、子画面を表示する時には複数のチューナ間の妨害を除去することができないため、複数のチューナ間の妨害を除去するためには、複数の画面の表示を同時に行わせることができないという問題があった。
また、特許文献２に開示された方法では、複数のチューナ間の妨害を完全に除去することができないばかりか、回路基板の配置に制約が生じるとともに、コストアップを招くという問題があった。
【０００５】
そこで、本発明の目的は、複数のチューナを動作させることを可能としつつ、複数のチューナ間の妨害を除去することが可能な受信装置を提供することである。
【課題を解決するための手段】
【０００６】
上述した課題を解決するために、本発明の一態様に係る受信装置によれば、複数のチューナが設けられた受信装置において、前記チューナは、局部発振周波数が、未使用のセグメントの帯域内に設定された局部発振信号を生成する局部発振器と、前記局部発振信号に受信信号を混合することにより、前記受信信号を中間周波信号に変換する混合器と、前記中間周波信号のフィルタリングを行う中間周波フィルタとを備えることを特徴とする。
【０００７】
これにより、第１チューナの局部発振周波数が第２チューナの受信帯域にかかっている場合においても、第１チューナの局部発振周波数が第２チューナの受信帯域の使用部分にかからないようにすることができる。このため、複数のチューナを同時に動作させた場合においても、局部発振周波数を調整することで、複数のチューナ間の妨害を除去することが可能となり、複数のチューナ間の妨害を除去するために、フィルタやシールドなどを別途付加する必要がなくなることから、コストやサイズの増大を抑制しつつ、複数の画面表示間の相互干渉を抑制することができる。
【０００８】
また、本発明の一態様に係る受信装置によれば、地上デジタルハイビジョン放送を受信する場合、１３セグメント分の帯域の中央の１セグメント分の帯域内に収まるように前記局部発振周波数を設定することを特徴とする。
これにより、局部発振信号の局部発振周波数を、未使用のセグメントの帯域内に設定することができ、複数のチューナを同時に動作させた場合においても、複数のチューナ間の妨害を除去することが可能となる。
【０００９】
また、本発明の一態様に係る受信装置によれば、複数のチューナが設けられた受信装置において、前記チューナは、局部発振周波数が、未使用のセグメントの帯域内に設定された第１局部発振信号を生成する第１局部発振器と、前記第１局部発振信号に受信信号を混合することにより、前記受信信号を第１中間周波信号に変換する第１混合器と、前記第１中間周波信号のフィルタリングを行う第１中間周波フィルタと、第２局部発振信号を生成する第２局部発振器と、前記第２局部発振信号を前記第１中間周波信号に混合することにより、前記第１中間周波信号を第２中間周波信号に変換する第２混合器と、前記第２中間周波信号のフィルタリングを行う第２中間周波フィルタとを備えることを特徴とする。
【００１０】
これにより、ダブルスーパー方式の場合においても、局部発振周波数を調整することで、複数のチューナを同時に動作させることを可能としつつ、複数のチューナ間の妨害を除去することができる。このため、複数のチューナ間の妨害を除去するために、フィルタやシールドなどを別途付加する必要がなくなり、コストやサイズの増大を抑制しつつ、複数の画面表示間の相互干渉を抑制することができる。
【００１１】
また、本発明の一態様に係る受信装置によれば、地上デジタルハイビジョン放送を受信する場合、１３セグメント分の帯域の中央の１セグメント分の帯域内に収まるように前記第１局部発振周波数を設定することを特徴とする。
これにより、局部発振信号の局部発振周波数を、未使用のセグメントの帯域内に設定することができ、複数のチューナを同時に動作させた場合においても、複数のチューナ間の妨害を除去することが可能となる。
【００１２】
また、本発明の一態様に係る受信装置によれば、前記第１中間周波フィルタはＳＡＷフィルタであり、前記第１中間周波信号の周波数が３０〜６０ＭＨｚの範囲内に収まるように前記第１局部発振信号の発振周波数を設定することを特徴とする。
これにより、急峻な遮断特性を得ることが可能となり、隣接チャンネル妨害を大幅に軽減することが可能となるとともに、ＳＡＷフィルタの製造が容易となるようにＳＡＷフィルタの遮断周波数を設定することが可能となる。
【発明を実施するための最良の形態】
【００１３】
以下、本発明の実施形態に係る受信装置について図面を参照しながら説明する。
図１は、本発明の第１実施形態に係る受信装置の概略構成を示すブロック図である。
図１において、受信装置には、空間に放射された電波を受信するアンテナ１、アンテナ１にて受信された受信信号を分配する分配器２、分配器２にて分配された受信信号の選局をそれぞれ行う複数のチューナ３ａ、３ｂ、チューナ３ａ、３ｂにて選局された受信信号の復調をそれぞれ行う復調部４ａ、４ｂ、複数の画面６ａ、６ｂを表示させるディスプレイ６および復調部４ａ、４ｂにて復調された信号を画面６ａ、６ｂにそれぞれ表示させるための制御を行うコントローラ５が設けられている。なお、チューナ３ａは、例えば、テレビの主画面用、チューナ３ｂは、例えば、テレビの子画面用またはＶＴＲ・ＤＶＤ・ＨＤＤ等の録画用に用いることができる。
【００１４】
そして、アンテナ１にて受信された受信信号は分配器２を介してチューナ３ａ、３ｂに分配される。そして、チューナ３ａ、３ｂにて所望のチャンネルが選局された後、復調部４ａ、４ｂに送られ復調処理が行われる。そして、復調部４ａ、４ｂにて復調処理された信号はコントローラ５を介して画面６ａ、６ｂにそれぞれ表示される。
なお、チューナ３ａ、３ｂを同時に動作させると、チューナ３ｂの局部発振信号が分配器２を介してチューナ３ａに混入し、チューナ３ａの動作に妨害を与えるとともに、チューナ３ｂから空間に飛び出した局部発振信号がチューナ３ａに混入し、チューナ３ａの動作に妨害を与える。同様に、チューナ３ａ、３ｂを同時に動作させると、チューナ３ａの局部発振信号が分配器２を介してチューナ３ｂに混入し、チューナ３ｂの動作に妨害を与えるとともに、チューナ３ａから空間に飛び出した局部発振信号がチューナ３ｂに混入し、チューナ３ｂの動作に妨害を与える。
【００１５】
このため、チューナ３ａ、３ｂ間の妨害を除去するために、チューナ３ａ、３ｂは、局部発振周波数が、未使用のセグメントの帯域内に設定されるように局部発振信号を生成することができる。
【００１６】
図２は、図１のチューナ３ａの概略構成の一例を示すブロック図である。なお、この図２の実施形態はシングルスーパー方式を例にとったものである。
図２において、チューナ３ａには、図１の分配器２にて分配された高周波信号を増幅する高周波増幅器１１、局部発振信号を生成する局部発振器１３、局部発振器１３にて生成された局部発振信号を受信信号に混合することにより、受信信号を中間周波信号に変換する混合器１２および混合器１２から出力された中間周波信号のフィルタリングを行うことにより、中間周波信号の所望の帯域を抽出する中間周波フィルタ１４が設けられている。なお、チューナ３ｂも同様の構成をとることができる。
【００１７】
そして、分配器２にて分配された受信信号は高周波増幅器１１にて増幅された後、混合器１２に送られるとともに、混合器１２には、局部発振器１３にて生成された局部発振信号が出力される。そして、受信信号が混合器１２に送られると、混合器１２にて局部発振信号と混合され、受信信号が中間周波信号に変換される。そして、混合器１２にて生成された中間周波信号は中間周波フィルタ１４に送られ、中間周波フィルタ１４にて中間周波信号から所望の帯域の信号が抽出された後、復調部４ａに送られる。
【００１８】
ここで、局部発振器１３は、局部発振周波数が、未使用のセグメントの帯域内に設定されるように局部発振信号を生成することができる。例えば、局部発振器１３は、地上デジタルハイビジョン放送を受信する場合、１３セグメント分の帯域の中央の１セグメント分の帯域内に収まるように局部発振周波数を設定することができる。
これにより、チューナ３ａの局部発振周波数がチューナ３ｂの受信帯域にかかっている場合においても、チューナ３ａの局部発振周波数がチューナ３ｂの受信帯域の使用部分にかからないようにすることができる。このため、複数のチューナ３ａ、３ｂを同時に動作させた場合においても、局部発振周波数を調整することで、複数のチューナ３ａ、３ｂ間の妨害を除去することが可能となり、複数のチューナ３ａ、３ｂ間の妨害を除去するために、フィルタやシールドなどを別途付加する必要がなくなることから、コストやサイズの増大を抑制しつつ、複数の画面６ａ、６ｂ間の相互干渉を抑制することができる。
【００１９】
図３は、地上デジタル放送のチャンネルと周波数構成を示す図である。
図３において、地上デジタル放送では１３〜６２チャンネルが設けられ、各チャンネルは、４７０ＭＨｚ〜７７０ＭＨｚの間で６ＭＨｚごとに分割されている。
図４は、地上デジタル放送の１３〜１５チャンネルのセグメント構成を示す図である。
図４において、１３チャンネルの受信中心周波数は略４７３．１４３ＭＨｚ、受信最低周波数は略４７０．３５７ＭＨｚ、受信最高周波数は略４７５．９２９ＭＨｚ、１４チャンネルの受信中心周波数は略４７９．１４３ＭＨｚ、受信最低周波数は略４７６．３５７ＭＨｚ、受信最高周波数は略４８１．９２９ＭＨｚ、１５チャンネルの受信中心周波数は略４８５．１４３ＭＨｚ、受信最低周波数は略４８２．３５７ＭＨｚ、受信最高周波数は略４８７．９２９ＭＨｚに設定されている。そして、地上デジタル放送では、略５．６ＭＨｚの１チャネル分の帯域が１３個のセグメントに分割されている。そして、中央の１セグメント分の帯域Ｓ１を除く１２個のセグメント分の帯域Ｓ２、Ｓ３を用いてハイビジョン放送を行ったり、中央の１セグメント分の帯域Ｓ１を用いて携帯受信機向けサービスを行ったりできるように規定されている。
【００２０】
そして、例えば、ＯＦＤＭ復調部で最も処理しやすい中間周波信号の周波数はＮ×６４／６３ＭＨｚ（Ｎ＝１、２、４、８、１２、１６等）であり、１３セグメント分の帯域を考えると、中間周波信号の最低周波数は略４．０６３ＭＨｚとなる。今、チューナ３ａが１５チャンネルを受信しているとすると、受信中心周波数は略４８５．１４３ＭＨｚであり、この場合の下側局部発振周波数は略４８１．０８ＭＨｚとなる。そして、この下側局部発振周波数（＝略４８１．０８ＭＨｚ）は、チューナ３ｂの１４チャンネルの１２セグメント受信帯域内にかかることとなり、チューナ３ｂの動作に妨害を与える。
【００２１】
このため、チューナ３ａの局部発振器１３は、下側局部発振周波数が略４７２．９５３ＭＨｚとなるように局部発振信号の局部発振周波数を設定し、中間周波信号の周波数が１２×６４／６３＝略１２．１９０ＭＨｚとなるようにする。この場合の下側局部発振周波数（＝略４７２．９５３ＭＨｚ）は、チューナ３ｂの１３チャンネルの中央の１セグメントの帯域内にかかるが、この１セグメントは、移動受信専用に使用されるため、ハイビジョン用の１２セグメント分の受信には影響を与えることはなく、チューナ３ａ、３ｂ間の妨害を除去することができる。
【００２２】
また、移動受信専用の１セグメント分の帯域は、各チャンネルの受信中心周波数と同様に６ＭＨｚずつずれていくため、いずれのチャンネルを選局した場合においても、チューナ３ａ、３ｂ間の妨害を除去することができる。
【００２３】
図５は、図１のチューナ３ａの概略構成のその他の例を示すブロック図である。なお、この図５の実施形態はダブルスーパー方式を例にとったものである。
図５において、チューナ３ａには、図１の分配器２にて分配された高周波信号を増幅する高周波増幅器２１、第１局部発振信号を生成する第１局部発振器２３、第１局部発振器２３にて生成された第１局部発振信号を受信信号に混合することにより、受信信号を第１中間周波信号に変換する第１混合器２２、第１混合器２２から出力された第１中間周波信号のフィルタリングを行うことにより、第１中間周波信号の所望の帯域を抽出する第１中間周波フィルタ２４、第２局部発振信号を生成する第２局部発振器２６、第２局部発振器２６にて生成された第２局部発振信号を第１中間周波信号に混合することにより、第１中間周波信号を第２中間周波信号に変換する第２混合器２５および第２混合器２５から出力された第２中間周波信号のフィルタリングを行うことにより、第２中間周波信号の所望の帯域を抽出する第２中間周波フィルタ２７が設けられている。なお、チューナ３ｂも同様の構成をとることができる。
【００２４】
そして、図１の分配器２にて分配された受信信号は高周波増幅器２１にて増幅された後、第１混合器２２に送られるとともに、第１混合器２２には、第１局部発振器２３にて生成された第１局部発振信号が出力される。そして、受信信号が第１混合器２２に送られると、第１混合器２２にて第１局部発振信号と混合され、受信信号が第１中間周波信号に変換される。
【００２５】
そして、第１混合器２２にて生成された第１中間周波信号は、第１中間周波フィルタ２４に送られる。そして、第１中間周波フィルタ２４にて第１中間周波信号のフィルタリングが行われ、第１中間周波フィルタ２４にて抽出された第１中間周波信号の所望の帯域の信号が第２混合器２５に送られるとともに、第２混合器２５には、第２局部発振器２６にて生成された第２局部発振信号が出力される。そして、第１中間周波フィルタ２４にて抽出された第１中間周波信号の所望の帯域の信号が第２混合器２５に送られると、第２混合器２５にて第２局部発振信号と混合され、第１中間周波信号が第２中間周波信号に変換される。
【００２６】
そして、第２混合器２５にて生成された第２中間周波信号は第２中間周波フィルタ２７に送られ、第２中間周波フィルタ２７にて中間周波信号から所望の帯域の信号が抽出された後、復調部４ａに送られる。
ここで、第１局部発振器２３は、局部発振周波数が、未使用のセグメントの帯域内に設定されるように局部発振信号を生成することができる。例えば、第１局部発振器２３は、地上デジタルハイビジョン放送を受信する場合、１３セグメント分の帯域の中央の１セグメント分の帯域内に収まるように局部発振周波数を設定することができる。
【００２７】
これにより、ダブルスーパー方式の場合においても、局部発振周波数を調整することで、複数のチューナ３ａ、３ｂを同時に動作させることを可能としつつ、複数のチューナ３ａ、３ｂ間の妨害を除去することができる。このため、複数のチューナ３ａ、３ｂ間の妨害を除去するために、フィルタやシールドなどを別途付加する必要がなくなり、コストやサイズの増大を抑制しつつ、複数の画面表示間の相互干渉を抑制することができる。
【００２８】
なお、第１中間周波フィルタ２４としてはＳＡＷ（Ｓｕｒｆａｃｅ  Ａｃｏｕｓｔｉｃ  Ｗａｖｅ）フィルタを用いることが好ましく、第１中間周波信号の周波数が３０〜６０ＭＨｚの範囲内に収まるように第１局部発振信号の発振周波数を設定することが好ましい。
これにより、急峻な遮断特性を得ることが可能となり、隣接チャンネル妨害を大幅に軽減することが可能となるとともに、ＳＡＷフィルタの製造が容易となるようにＳＡＷフィルタの遮断周波数を設定することが可能となる。
例えば、第１中間周波フィルタ２４としてＳＡＷフィルタを用いた場合、チューナ３ａにて２１チャンネル（受信中心周波数＝略５２１．１４３Ｍ）を受信するものとすると、チューナ３ａの第１局部発振器２３は、下側局部発振周波数が略４７３．１４３ＭＨｚとなるように局部発振信号の局部発振周波数を設定し、第１中間周波信号の周波数を例えば４８ＭＨｚに設定したものとする。この場合の下側局部発振周波数（＝略４７３．１４３ＭＨｚ）は、チューナ３ｂの１３チャンネルの中央の１セグメントの帯域内にかかるが、この１セグメントは、移動受信専用に使用されるため、ハイビジョン用の１２セグメント分の受信には影響を与えることはなく、チューナ３ａ、３ｂ間の妨害を除去することができる。
【００２９】
また、移動受信専用の１セグメント分の帯域は、各チャンネルの受信中心周波数と同様に６ＭＨｚずつずれていくため、いずれのチャンネルを選局した場合においても、チューナ３ａ、３ｂ間の妨害を除去することができる。
ここで、（１３＋Ｍ）チャンネルを選局する場合、第１局部発振周波数は略４２５．１４３ＭＨｚ＋６×Ｍ（Ｍ＝０〜４９）とすることができる。また、第２局部発振周波数は、例えば、第２中間周波信号の周波数を略４．０６３Ｍとすると、略４３．９３７Ｍの固定周波数となる。
【００３０】
なお、ハイビジョン対応の据え置き型受信機の場合は、移動受信用の１セグメント分を受信する可能性は少ないが、移動受信用の１セグメントを受信した場合には局部発振信号がチューナ３ａ、３ｂ間の妨害となりうる。しかし、ハイビジョン対応の１２セグメント分の受信の場合、情報量が最大の変調方式の６４ＱＡＭを採用した時の必要なＣ／Ｎ比は、符号化率が３／４であるとすると、２０．１ｄＢである。これに対し、移動受信用の１セグメント分の受信の場合、情報量が最大の変調方式の１６ＱＡＭを採用した時の必要なＣ／Ｎ比は、符号化率が３／４であるとすると、１４．６ｄＢであるため、Ｃ／Ｎ比に６．５ｄＢ分の余裕が生じる。ここで、受信条件は、同一のアンテナ１を用いているから、１セグメント分の受信時と１２セグメント分の受信時とで同一の電界強度となる。従って、１セグメント分の受信時の場合の方が、１２セグメント分の受信時に比べて耐妨害性が高くなり、局部発振信号の妨害を受け難くすることができる。
【図面の簡単な説明】
【００３１】
【図１】本発明の一実施形態に係る受信装置の概略構成を示すブロック図。
【図２】図１のチューナの概略構成の一例を示すブロック図。
【図３】地上デジタル放送のチャンネルと周波数構成を示す図。
【図４】地上デジタル放送の１３〜１５チャンネルのセグメント構成を示す図。
【図５】図１のチューナの概略構成のその他の例を示すブロック図。
【符号の説明】
【００３２】
１  アンテナ、２  分配器、３ａ、３ｂ  チューナ、４ａ、４ｂ  復調部、５  コントローラ、６  ディスプレイ、６ａ、６ｂ  画面、１１、２１  高周波増幅器、１２  混合器、１３  局部発振器、１４  中間周波フィルタ、２２  第１混合器、２３  第１局部発振器、２４  第１中間周波フィルタ、２５  第２混合器、２６  第２局部発振器、２７  第２中間周波フィルタ
【図１】
2007082054.tif 000003
【図２】
2007082054.tif 000004
【図３】
2007082054.tif 000005
【図４】
2007082054.tif 000006
【図５】
2007082054.tif 000007